(57)【要約】  本発明は、２台のピンカメラを用いてエレベータのモニタのディスプレイを操作し誤作動を防止する装置および方法に関し、スピーカが内蔵されたモニタＭ、モニタＭの上部の左右側に各々位置する２台のピンカメラＰ１、Ｐ２、モニタコントローラＭＣ、スピーカコントローラＳＣ、ピンカメラコントローラＰＣ、インジケータコントローラＩＣ、およびエレベータコントローラＥＣを含み、ピンカメラコントローラＰＣにより前記２台のピンカメラＰ１、Ｐ２各々がモニタＭの正面に並んで撮像をし、ピンカメラコントローラＰＣは重なる撮像部分でピンカメラＰ１、Ｐ２の撮像角度に基づいてモニタＭに平行に間隔をおいた２次元の仮想画面ｚ１、仮想画面ｚ２および仮想画面ｚ３を順に設定し、インジケータコントローラＩＣの制御下、前記モニタコントローラＭＣがモニタＭに各種ボタンをディスプレイし、乗客の指を含む作動子が前記仮想画面ｚ１〜仮想画面ｚ３画面を順にタッチすれば、モニタコントローラＭＣがそれを検知して選択されたボタンを活性化し、活性化されたボタンに応じてエレベータコントローラＥＣがエレベータの動作を制御し、インジケータコントローラＩＣの制御下、作動子が仮想画面ｚ１〜仮想画面ｚ３画面を順にタッチするに伴ってスピーカコントローラＳＣがスピーカの音を制御する。【選択図】図５
2019531239.tif 000002
【特許請求の範囲】
【請求項１】
エレベータケージ壁面、エレベータドア表面またはエレベータドア横の建物壁面に設けられ、開始ボタンと非常ボタンと階ボタンを含めてエレベータの動作を制御する各種ボタンをディスプレイし、スピーカが内蔵されたモニタ、
モニタの上部の左右側に各々位置する２台のピンカメラ、および
前記モニタの各種ボタンの動作、ピンカメラの動作、エレベータの動作を制御する制御部を含み、
前記制御部は、前記２台のピンカメラ各々がモニタの正面に並んで撮像をするようにし、重なる撮像部分でピンカメラの撮像角度に基づいてモニタに平行に間隔をおいた２次元の仮想画面ｚ１、仮想画面ｚ２および仮想画面ｚ３を順に設定し、前記仮想画面ｚ１、仮想画面ｚ２および仮想画面ｚ３のうち、仮想画面ｚ１がモニタに最も近く、仮想画面ｚ３がモニタから最も遠くに形成されるようにし、
前記制御部は、モニタに各種ボタンがディスプレイされるようにし、乗客の指を含む作動子が仮想画面ｚ１〜仮想画面ｚ３画面を仮想画面ｚ３、仮想画面ｚ２、仮想画面ｚ１の順にタッチすれば、モニタの各種ボタンのうち選択されたボタンを活性化し、活性化されたボタンに応じてエレベータの動作を制御し、前記作動子が仮想画面ｚ３をタッチすれば、モニタに基本大きさのカーソルを表示し、作動子が中間位置の仮想画面ｚ２に向かって接近するか否かを判断し、接近すると決定されれば、カーソルの大きさを拡大することを特徴とする、モニタを用いたエレベータの動作制御装置。
【請求項２】
前記モニタの下段部と上段部に各々児童モード選択ボタンと標準復帰ボタンがディスプレイされ、モニタコントローラの制御下、児童モード選択ボタンが作動すれば、モニタの全てのボタンがモニタの下部にディスプレイされ、何のボタンも作動せずに一定時間が経過するかまたは標準復帰ボタンが作動すれば、全てのボタンが本来の状態に復帰することを特徴とする、請求項１に記載のモニタを用いたエレベータの動作制御装置。
【請求項３】
前記ピンカメラがモニタの上部に設けられるピンカメラ埋め込みボックス内に内蔵され、ピンカメラ埋め込みボックスの開放された下部を通してピンカメラが撮像することを特徴とする、請求項１または２に記載のモニタを用いたエレベータの動作制御装置。
【請求項４】
エレベータケージ壁面、エレベータドア表面またはエレベータドア横の建物壁面に設けられ、エレベータの動作を制御する各種ボタンをディスプレイするモニタ、前記モニタの上部の左右側に各々位置する２台のピンカメラ、および前記モニタの各種ボタンの動作、ピンカメラの動作、エレベータの動作を制御する制御部を含むエレベータの動作制御装置において行われるエレベータの動作制御方法であって、
前記２台のピンカメラ各々がモニタの正面に並んで撮像をするようにし、重なる撮像部分でピンカメラの撮像角度に基づいてモニタに平行に間隔をおいた２次元の仮想画面ｚ１、仮想画面ｚ２および仮想画面ｚ３を順に設定し、前記仮想画面ｚ１、仮想画面ｚ２および仮想画面ｚ３のうち、仮想画面ｚ１がモニタに最も近く、仮想画面ｚ３がモニタから最も遠くに形成されるステップ、
前記モニタを介して各種ボタンをディスプレイするステップ、
前記仮想画面ｚ３が作動子によりタッチされたか否かを判断するステップ、
前記作動子が仮想画面ｚ３をタッチしたと決定されれば、モニタに基本大きさのカーソルを表示するステップ、
前記作動子が中間位置の仮想画面ｚ２に向かって接近するか否かを判断するステップ、
前記作動子が仮想画面ｚ２に向かって接近しないと決定されれば、仮想画面ｚ３が作動子によりタッチされたか否かを判断するステップに戻り、接近すると決定されれば、カーソルの大きさを拡大するステップ、
前記作動子が仮想画面ｚ２をタッチし、カーソルが表示された各種ボタンに対して一定大きさ以上重なるボタンがあるか否かを判断して選択ボタンを決定するステップ、
前記仮想画面ｚ２がタッチされなかったと決定されれば、仮想画面ｚ２に向かって接近するか否かを判断するステップに戻り、タッチされたと決定されれば、前記選択ボタンが拡大されるかまたは所望のグラフィックでディスプレイされるステップ、
前記作動子が仮想画面ｚ１をタッチしたか否かを判断するステップ、
前記仮想画面ｚ１がタッチされなかったと決定されれば、カーソルが表示された各種ボタンに対して一定大きさ以上重なるボタンがあるか否かを判断して選択ボタンを決定するステップに戻り、仮想画面ｚ１がタッチされたと決定されれば、前記選択されたボタンを登録するステップ、および
前記登録されたボタンに該当する動作を実行するステップを含むことを特徴とする、エレベータの動作制御方法。
【請求項５】
前記登録されたボタンに該当する動作を実行するステップは、
前記作動子がモニタに対して垂直に後退したか否かを判断するステップ、および
後退したと決定されれば、前記登録されたボタンに該当する動作を実行するステップをさらに含むことを特徴とする、請求項４に記載のエレベータの動作制御方法。
【請求項６】
前記登録されたボタンに該当する動作を実行するステップは、
前記垂直に後退したか否かを判断するステップにおいて後退しなかったと決定されれば、作動子が水平に一定距離を動いたか否かを判断するステップ、
水平に移動したと決定されれば、ボタンの登録を取り消すステップ、および
再登録要請を前記モニタを介してディスプレイするステップをさらに含むことを特徴とする、請求項５に記載のエレベータの動作制御方法。
【請求項７】
前記動作制御装置がモニタに内蔵されたスピーカをさらに含み、
前記動作制御方法は、
前記作動子が仮想画面ｚ３をタッチした後に仮想画面ｚ２に接近すると決定されれば、前記スピーカを介して所定の音声信号が出力されるようにするステップ、
前記作動子が仮想画面ｚ２をタッチしたと決定されれば、スピーカを介して前記選択されたボタンに該当する階数の音声信号の一部を出力するステップ、および
前記仮想画面ｚ１をタッチしたと判断されれば、スピーカを介して前記階数の残りの音声信号を出力するステップをさらに含むことを特徴とする、請求項４に記載のエレベータの動作制御方法。
【請求項８】
前記モニタに内蔵されたスピーカをさらに含み、
前記制御部は、前記作動子が仮想画面ｚ３をタッチした後に仮想画面ｚ２に接近すると決定されれば、カーソルの大きさを拡大することに加えてスピーカを介して所定の音声信号が出力されるようにし、前記作動子が仮想画面ｚ２をタッチしたと決定されれば、カーソルと一定大きさ以上重なる選択ボタンに該当する階数の音声信号の一部が前記スピーカを介して出力されるようにし、仮想画面ｚ１をタッチしたと判断されれば、スピーカを介して前記階数の残りの音声信号が出力されるようにすることを特徴とする、請求項１に記載のモニタを用いたエレベータの動作制御装置。
【請求項９】
前記制御部は、モニタの各種ボタンのうち選択されたボタンを活性化した後、活性化されたボタンに応じてエレベータの動作を制御する前に、
前記作動子がモニタに対して垂直に後退したか否かを判断し、後退したと決定されれば、前記活性化されたボタンに該当するエレベータの動作を実行し、
垂直に後退しなかったと決定されれば、作動子が水平に一定距離を動いたか否かを判断し、水平に移動したと決定されれば、選択されたボタンの活性化を取り消し、再登録要請を前記モニタを介してディスプレイするようにすることを特徴とする、請求項１に記載のモニタを用いたエレベータの動作制御装置。
【発明の詳細な説明】
【技術分野】
【０００１】
本発明は、モニタを用いたエレベータ動作制御装置および方法に関し、具体的には、２台のピンカメラを用いてエレベータのモニタのディスプレイを操作し誤作動を防止する装置および方法に関する。
【背景技術】
【０００２】
エレベータの階の選択と昇降の選択のために、エレベータドア横の建物壁面に一般のホールボタンを設けるのが一般的である。しかし、このようなホールボタンを設けようとすれば、建物壁面に穴を穿孔し、そこにホールボタンを設け、各種配線を連結しなければならない。このようなホールボタンを建物の各階ごとに設けなければならないため、ホールボタンの設置作業は時間と費用が相当多くかかる作業である。
【０００３】
また、一般の高層ビルの場合は多い階数のためにホールボタンに階数だけ多い階選択ボタンが小さい大きさで配置されており、特に視力の良くない乗客は階選択ボタンを選択するのに困難を感じることが多い。
【０００４】
それを改善するために、本出願人の２０１６年１０月１２日に登録された特許第１６６７５１０号にはモニタを用いてエレベータの動作を制御する発明が開示されているが、該発明の場合、ピンカメラが６台として構造が複雑であり、視聴覚障害者と背の低い児童は利用するのに不便であり、いたずらなどによる誤作動を防止することができないという問題があった。
【先行技術文献】
【特許文献】
【０００５】
【特許文献１】大韓民国特許第１６６７５１０号公報
【発明の概要】
【発明が解決しようとする課題】
【０００６】
本発明は、ピンカメラの個数を減らして構造を単純化し、視聴覚障害者と背の低い児童が容易に利用できることは勿論、いたずらなどによる誤作動を防止することができる、モニタを用いたエレベータの動作制御装置および方法を提供することを目的とする。
【課題を解決するための手段】
【０００７】
本発明は、このような目的を達成するために、エレベータケージ壁面、エレベータドア表面またはエレベータドア横の建物壁面に設けられ、開始ボタンと非常ボタンと階ボタンを含めてエレベータの動作を制御する各種ボタンをディスプレイし、スピーカが内蔵されたモニタＭ、
モニタＭの上部の左右側に各々位置する２台のピンカメラＰ１、Ｐ２、および
前記モニタＭの各種ボタンの動作、ピンカメラの動作、エレベータの動作を制御する制御部を含み、
前記制御部は、前記２台のピンカメラＰ１、Ｐ２各々がモニタＭの正面に並んで撮像をするようにし、重なる撮像部分でピンカメラＰ１、Ｐ２の撮像角度に基づいてモニタＭに平行に間隔をおいた２次元の仮想画面ｚ１、仮想画面ｚ２および仮想画面ｚ３を順に設定し、前記仮想画面ｚ１、仮想画面ｚ２および仮想画面ｚ３のうち、仮想画面ｚ１がモニタに最も近く、仮想画面ｚ３がモニタから最も遠くに形成されるようにし、
前記制御部は、モニタＭに各種ボタンがディスプレイされるようにし、乗客の指を含む作動子が仮想画面ｚ１〜仮想画面ｚ３画面を仮想画面ｚ３、仮想画面ｚ２、仮想画面ｚ１の順にタッチすれば、モニタの各種ボタンのうち選択されたボタンを活性化し、活性化されたボタンに応じてエレベータの動作を制御し、前記作動子が仮想画面ｚ３をタッチすれば、モニタＭに基本大きさのカーソルを表示し、作動子が中間位置の仮想画面ｚ２に向かって接近するか否かを判断し、接近すると決定されれば、カーソルの大きさを拡大する、モニタを用いたエレベータの動作制御装置を提供する。
【０００８】
本発明において、モニタＭの下段部と上段部に各々児童モード選択ボタン１０と標準復帰ボタン２０がディスプレイされ、モニタコントローラＭＣの制御下、児童モード選択ボタン１０が作動すれば、モニタの全てのボタンがモニタＭの下部にディスプレイされ、何のボタンも作動せずに一定時間が経過するかまたは標準復帰ボタン２０が作動すれば、全てのボタンが本来の状態に復帰するようにしてもよい。
【０００９】
また、ピンカメラＰ１、Ｐ２がモニタＭの上部に設けられるピンカメラ埋め込みボックス３０内に内蔵され、ピンカメラ埋め込みボックス３０の開放された下部を通してピンカメラＰ１、Ｐ２が撮像するようにしてもよい。
【００１０】
また、本発明は、
エレベータケージ壁面、エレベータドア表面またはエレベータドア横の建物壁面に設けられ、エレベータの動作を制御する各種ボタンをディスプレイするモニタＭ、前記モニタＭの上部の左右側に各々位置する２台のピンカメラＰ１、Ｐ２、および前記モニタＭの各種ボタンの動作、ピンカメラの動作、エレベータの動作を制御する制御部を含むエレベータの動作制御装置において行われるエレベータの動作制御方法であって、
前記２台のピンカメラＰ１、Ｐ２各々がモニタＭの正面に並んで撮像をするようにし、重なる撮像部分でピンカメラＰ１、Ｐ２の撮像角度に基づいてモニタＭに平行に間隔をおいた２次元の仮想画面ｚ１、仮想画面ｚ２および仮想画面ｚ３を順に設定し、前記仮想画面ｚ１、仮想画面ｚ２および仮想画面ｚ３のうち、仮想画面ｚ１がモニタに最も近く、仮想画面ｚ３がモニタから最も遠くに形成されるステップ、
前記モニタＭを介して各種ボタンをディスプレイするステップ、
前記仮想画面ｚ３が作動子によりタッチされたか否かを判断するステップ、
前記作動子が仮想画面ｚ３をタッチしたと決定されれば、モニタＭに基本大きさのカーソルを表示するステップ、
前記作動子が中間位置の仮想画面ｚ２に向かって接近するか否かを判断するステップ、
前記作動子が仮想画面ｚ２に向かって接近しないと決定されれば、仮想画面ｚ３が作動子によりタッチされたか否かを判断するステップに戻り、接近すると決定されれば、カーソルの大きさを拡大するステップ、
前記作動子が仮想画面ｚ２をタッチし、カーソルが表示された各種ボタンに対して一定大きさ以上重なるボタンがあるか否かを判断して選択ボタンを決定するステップ、
前記仮想画面ｚ２がタッチされなかったと決定されれば、仮想画面ｚ２に向かって接近するか否かを判断するステップに戻り、タッチされたと決定されれば、前記選択ボタンが拡大されるかまたは所望のグラフィックでディスプレイされるステップ、
前記作動子が仮想画面ｚ１をタッチしたか否かを判断するステップ、
前記仮想画面ｚ１がタッチされなかったと決定されれば、カーソルが表示された各種ボタンに対して一定大きさ以上重なるボタンがあるか否かを判断して選択ボタンを決定するステップに戻り、仮想画面ｚ１がタッチされたと決定されれば、前記選択されたボタンを登録するステップ、および
前記登録されたボタンに該当する動作を実行するステップを含む、エレベータの動作制御方法も提供する。
【００１１】
この方法において、登録されたボタンに該当する動作を実行するステップは、
作動子がモニタに対して垂直に後退したか否かを判断するステップ、および
後退したと決定されれば、前記登録されたボタンに該当する動作を実行するステップをさらに含んでもよい。
【００１２】
また、登録されたボタンに該当する動作を実行するステップは、
前記垂直に後退したか否かを判断するステップにおいて後退しなかったと決定されれば、作動子が水平に一定距離を動いたか否かを判断するステップ、
水平に移動したと決定されれば、ボタンの登録を取り消すステップ、および
再登録要請を前記モニタを介してディスプレイするステップをさらに含んでもよい。
【００１３】
本発明に係る動作制御装置がモニタに内蔵されたスピーカをさらに含み、
前記動作制御方法は、
前記作動子が仮想画面ｚ３をタッチした後に仮想画面ｚ２に接近すると決定されれば、前記スピーカを介して所定の音声信号が出力されるようにするステップ、
前記作動子が仮想画面ｚ２をタッチしたと決定されれば、スピーカを介して前記選択されたボタンに該当する階数の音声信号の一部を出力するステップ、および
前記仮想画面ｚ１をタッチしたと判断されれば、スピーカを介して前記階数の残りの音声信号を出力するステップをさらに含んでもよい。
【００１４】
また、本発明に係る装置がモニタに内蔵されたスピーカをさらに含み、前記制御部は、前記作動子が仮想画面ｚ３をタッチした後に仮想画面ｚ２に接近すると決定されれば、カーソルの大きさを拡大することに加えてスピーカを介して所定の音声信号が出力されるようにし、前記作動子が仮想画面ｚ２をタッチしたと決定されれば、カーソルと一定大きさ以上重なる選択ボタンに該当する階数の音声信号の一部が前記スピーカを介して出力されるようにし、仮想画面ｚ１をタッチしたと判断されれば、スピーカを介して前記階数の残りの音声信号が出力されるようにしてもよい。
【００１５】
また、本発明に係る装置において、
前記制御部は、モニタの各種ボタンのうち選択されたボタンを活性化した後、活性化されたボタンに応じてエレベータの動作を制御する前に、
前記作動子がモニタに対して垂直に後退したか否かを判断し、後退したと決定されれば、前記活性化されたボタンに該当するエレベータの動作を実行し、
垂直に後退しなかったと決定されれば、作動子が水平に一定距離を動いたか否かを判断し、水平に移動したと決定されれば、選択されたボタンの活性化を取り消し、再登録要請を前記モニタを介してディスプレイするようにしてもよい。
【発明の効果】
【００１６】
このように構成された本発明によれば、わずか２台のピンカメラを用いて構造が単純化されて維持管理が容易であり、視聴覚障害者と背の低い児童が容易に利用できることは勿論、いたずらなどによる誤作動を防止することができる。
【図面の簡単な説明】
【００１７】
【図１】本発明の装置を見せるためにエレベータケージの内部からドア側に向かって眺めた正面図である。
【図２】モニタの正面図である。
【図３】図２のＩＩＩ−ＩＩＩ線断面図である。
【図４】ピンカメラの配置と仮想画面を示す側面図である。
【図５】本発明の全体的な制御関係を概略的に示すブロック図である。
【図６】発明に係る制御方法のフローチャートである。
【図７】ｚ３画面をタッチした時のカーソルの生成状態を示す斜視図である。
【図８】ｚ２画面をタッチした時のカーソルの拡大状態を示す斜視図である。
【図９】６階を選択する場合のカーソルと選択ボタンの変化過程を順に示す図である。
【図１０】正常作動の状況を例示する斜視図である。
【図１１】誤作動の状況を例示する斜視図である。
【図１２】標準モードと児童モードの状況を示す説明図である。
【図１３】選択されたボタンをディスプレイする他の例を示す図である。
【発明を実施するための形態】
【００１８】
図１は、本発明の装置を見せるためにエレベータケージの内部からドア側に向かって眺めた正面図であり、説明の便宜上、以後のエレベータが移動しようとした階を「６階」にして説明する。
【００１９】
図示されたように、エレベータドア横のエレベータケージ壁面にモニタＭが設けられ、モニタには開始ボタンと非常ボタンと階ボタンなどを含めてエレベータの動作を制御する各種ボタンがディスプレイされ、スピーカ（図示せず）が内蔵されている。モニタＭの上部の左右側には各々１台ずつ２台のピンカメラＰ１、Ｐ２が設けられる。
【００２０】
図２は、モニタの正面図であり、図３は、図２のＩＩＩ−ＩＩＩ線断面図である。
【００２１】
図２〜３に示すように、ピンカメラＰ１、Ｐ２はモニタＭの上部に設けられるピンカメラ埋め込みボックス３０内に内蔵され、ピンカメラ埋め込みボックス３０の開放された下部を通してピンカメラＰ１、Ｐ２がモニタにディスプレイされた各種ボタン、例えば、階選択ボタン、開閉ボタンなどを撮像するが、両ピンカメラの視野角は二点鎖線で表示されたように各種の操作ボタンを重複して撮像する。必要であれば、選択された階、ここでは６階を示す数字がモニタ上部に大きく表示されるようにしてもよく、非常ボタンと開始ボタンをピンカメラ埋め込みボックス３０表面に配置してもよい。
【００２２】
本発明においては、ピンカメラＰ１、Ｐ２各々がモニタ正面を撮像する角度に応じてモニタ表面から順に３個の仮想画面ｚ１〜ｚ３を設定することにする。すなわち、公知のソフトウェアを用いてモニタ正面を撮像する２台のピンカメラの重複した撮像区域に対してピンカメラから照準される角度を基準にモニタ正面から順に一定間隔で仮想の画面ｚ１〜ｚ３を設定する。
【００２３】
図４は、このような関係を示す側面図である。
【００２４】
図示されたように、公知のソフトウェアを用いてピンカメラＰ１、Ｐ２が撮像する区域に対してモニタ表面から順に仮想の画面ｚ１〜ｚ３を設定する。乗客の指である作動子はモニタ表面に向かって動いて順にｚ３、ｚ２、ｚ１画面をタッチするようになり、タッチされる地点の光を遮断する効果を用いてタッチ地点を検知するようになる。本実施形態においては、前述したように６階ボタンを標的にしている。
【００２５】
図５は、本発明の全体的な制御関係を概略的に示すブロック図である。
【００２６】
図示されたように、本発明は、各種コントローラを備え、具体的には、モニタＭに連結されてモニタの各種ボタンの動作を制御するモニタコントローラＭＣ、スピーカに連結されてスピーカの動作を制御するスピーカコントローラＳＣ、ピンカメラＰ１、Ｐ２に連結されてピンカメラの動作を制御するピンカメラコントローラＰＣ、これらのコントローラＭＣ、ＳＣ、ＰＣに連結されてコントローラを制御するインジケータコントローラＩＣ、およびインジケータコントローラＩＣに連結されてエレベータの動作を制御するエレベータコントローラＥＣを含む。
【００２７】
インジケータコントローラＩＣの制御下、モニタコントローラＭＣがモニタＭに各種ボタンをディスプレイし、乗客の指を含む作動子が前記ｚ１〜ｚ３画面を順にタッチすれば、モニタコントローラＭＣがそれを検知して選択されたボタンを活性化し、活性化されたボタンに応じてエレベータコントローラＥＣがエレベータの動作を制御する。
【００２８】
また、インジケータコントローラＩＣの制御下、作動子がｚ１〜ｚ３画面を順にタッチするに伴い、スピーカコントローラＳＣがスピーカの音を制御するようにすることもできるが、それについては後ほど詳しく説明することにする。
【００２９】
図６は、このように構成された本発明に係る制御方法のフローチャートである。
【００３０】
エレベータコントローラＥＣとインジケータコントローラＩＣが全て作動した後、Ｓ１１０ステップでは、モニタコントローラＭＣがモニタ表面から最も遠い仮想画面ｚ３が作動子によりタッチされたか否かを判断する。
【００３１】
Ｓ１２０ステップでは、作動子がｚ３画面をタッチしたと決定されれば、モニタコントローラＭＣによりモニタＭに基本大きさのカーソルが表示される（図７参照）。
【００３２】
Ｓ１３０ステップでは、作動子が中間位置の仮想画面ｚ２に向かって接近するか否かをモニタコントローラＭＣが判断する。作動子がｚ２に向かって接近しないと決定されれば、Ｓ１１０ステップに戻り、接近すると決定されれば、Ｓ１４０ステップにおいてモニタコントローラＭＣによりカーソルの大きさが拡大され、スピーカコントローラＳＣによりスピーカから所定の音声信号が出力される（図８参照）。
【００３３】
Ｓ１５０ステップでは、作動子がｚ２をタッチし、カーソルが選択されたボタンの一定大きさと重なるか否かをモニタコントローラＭＣが判断する。
【００３４】
Ｚ２がタッチされなかったと決定されれば、Ｓ１３０ステップに戻り、タッチされたと決定されれば、スピーカコントローラＳＣによりスピーカから選択されたボタンに該当する階数の音声信号の一部を出力し（Ｓ１６０）、その次にモニタコントローラＭＣにより選択されたボタンが拡大されるかまたは所望のグラフィックでディスプレイされる（Ｓ１７０）。
【００３５】
その次に、Ｓ１８０ステップでは、作動子がモニタに最も近いｚ１をタッチしたか否かをモニタコントローラＭＣが判断する。ｚ１がタッチされなかったと決定されれば、Ｓ１５０ステップに戻り、タッチされたと決定されれば、Ｓ１９０ステップにおいてスピーカコントローラＳＣにより残りの音声信号が出力され、その次にモニタコントローラＭＣにより選択されたボタンが登録される（Ｓ２００）。
【００３６】
図９は、６階を選択する場合、以上の進行過程を右側から左側に順に示す図である。
【００３７】
図示されたように、作動子がｚ３をタッチすれば、基本カーソルが６階ボタンの位置に示され、スピーカから、例えば、「ブー」のような音声が弱く、例えば１０％程度で出力され、ｚ２に向かって進行するにつれてカーソルが次第に大きくなり、音声信号の出力強度が強くなり、ｚ２をタッチした時、スピーカが１００％程度の出力で「６」という音声信号を出力すると同時に「６階」ボタンが所望のグラフィックで、ここでは、他のボタンとは区分されるように縁が二重で表示されてディスプレイされ、作動子がｚ１をタッチすれば、スピーカが「階」という音声信号を１００％の強度で出力すると同時に「６階」ボタンが登録される。勿論、必要であれば、進行する間に「６階」ボタンの色が次第に濃くなるかまたは次第に大きく拡大されるようにするなど所望のグラフィックを設定することができる。勿論、必要に応じてスピーカの出力強度と選択されたボタンの模様が異なってもよい。
【００３８】
一方、本発明は、いたずらやボタンを誤って選択した場合の誤作動も防止する機能を有する。
【００３９】
このために、Ｓ２１０ステップでは、先ず、作動子がモニタに対して垂直に後退したか否かをモニタコントローラＭＣが判断する。すなわち、乗客が指で標的ボタンを選択し、直ちに後退すれば、正常な動作を実行するようにする。このため、後退したと決定されれば、エレベータコントローラＥＣにより登録されたボタンに該当する動作が実行されるようにする（Ｓ２２０）。
【００４０】
その反面、Ｓ２１０ステップにおいて作動子が後ろに後退しなかったと決定されれば、作動子が水平に一定の距離を動いたか否かをモニタコントローラＭＣが判断する（Ｓ２３０）。この時、水平に移動したと決定されれば、モニタコントローラＭＣにより登録ボタンが取り消される（Ｓ２４０）。
【００４１】
図１０〜１１は、このような状況を例示する斜視図である。
【００４２】
図１０のように作動子が矢印方向に６階ボタンをタッチしてから後退すれば、正常な選択をしたと判断する。
【００４３】
図１１のように、作動子が６階を選択した状況で矢印方向に横に移動すれば、いたずらをしたとみなし、誤作動であると判断する。必要であれば、横に移動した距離の閾値を設定し、閾値以上移動すれば誤作動に設定することができる。
【００４４】
その次に、スピーカコントローラＳＣにより登録解除を知らせる音声信号がスピーカから出力され（Ｓ２５０）、モニタコントローラＭＣにより再登録要請がディスプレイされる（Ｓ２６０）。
【００４５】
一方、選択されたボタンをモニタ上部に大きく拡大して表示するようにすることができる。この場合、視力の悪い視覚障害者に大いに役に立つはずである。
【００４６】
また、本発明は、背の低い児童モードを選択的に表示することもできる。
【００４７】
このために、モニタＭの下段部と上段部に各々児童モード選択ボタン１０と標準復帰ボタン２０がディスプレイされ、モニタコントローラＭＣの制御下、児童モード選択ボタン１０が作動すれば、モニタの全てのボタンがモニタＭの下部にディスプレイされ、標準復帰ボタン２０が作動すれば、全てのボタンが本来の状態に復帰するようにすることが好ましい。図１２は、このような関係を示す図である。図１２の左側の標準ボタン配列において児童モード選択ボタン１０を押せば、右側のようにモニタ下部に作動ボタンが配列され、背の低い児童も容易にタッチできるようになる。
【００４８】
標準復帰ボタン２０を押せば本来の状態に復帰するようにしてもよいが、児童モード選択ボタン１０が作動してから一定時間が経過すれば自動的に本来の状態に復帰するようにしてもよい。
【００４９】
図１３は、選択されたボタンをディスプレイする他の例を示す。
【００５０】
図１３の左側のように選択された「６階」ボタンだけ拡大表示されるか、右側のように全てのボタンを拡大表示するものの、選択された「６階」ボタンは他の色や模様で表示されるようにすることもできる。
【００５１】
また、正確な位置測定のために２台のピンカメラを例に挙げて説明したが、必要によっては１台のピンカメラを用いてもよく、正確度をより高めるために３台以上のピンカメラを用いてもよい。また、ピンカメラと類似した機能をする他の撮像装置を用いてもよい。
【００５２】
なお、モニタをエレベータのホールドア横の建物壁面やホールドア表面に設けることもできる。
【図１】
2019531239.tif 000003
【図２】
2019531239.tif 000004
【図３】
2019531239.tif 000005
【図４】
2019531239.tif 000006
【図５】
2019531239.tif 000007
【図６】
2019531239.tif 000008
【図７】
2019531239.tif 000009
【図８】
2019531239.tif 000010
【図９】
2019531239.tif 000011
【図１０】
2019531239.tif 000012
【図１１】
2019531239.tif 000013
【図１２】
2019531239.tif 000014
【図１３】
2019531239.tif 000015
【国際調査報告】
2019531239.tif 000016
2019531239.tif 000017
2019531239.tif 000018
2019531239.tif 000019